(57)【要約】      （修正有）【課題】スプレーガンにおいて、引金が工具レスで分解できて細部まで洗浄できるし、分解時、紛失や落下の虞のある細かいピン等がないようにする。【解決手段】本体部３の内部に設けられる第１流出口８を上方方向である閉塞側に弾性付勢される弁頭で閉塞する開閉弁４と、係合構造によって本体部３に係合され、下方回動させることで弁頭の上部を構成する弁尾を下方に押動させて第１流出口８を開放して流体を流出させる引金５とを有するスプレーガンにおいて、本体部３にピン１５を一体的に設け、引金５にピン１５を工具レスで着脱可能に収受する収受部２３を設けて係合構造とする。【選択図】図１
2011036769.tif 000002
【特許請求の範囲】
【請求項１】
本体部の内部に設けられる第１流出口を上方方向である閉塞側に弾性付勢される弁頭で閉塞する開閉弁と、係合構造によって本体部に係合され、下方回動させることで弁頭の上部を構成する弁尾を下方に押動させて第１流出口を開放して流体を流出させる引金とを有するスプレーガンにおいて、本体部にピンを一体的に設け、引金にピンを工具レスで着脱可能に収受する収受部を設けて係合構造としたことを特徴とするスプレーガン。
【請求項２】
収受部が引金の所定部位に開口している導入部を有しており、導入部から収受部までのピンの取込みが引金のワンタッチ操作で行われる請求項１のスプレーガン。
【請求項３】
引金が、弁尾で押圧される作用部と、作用部の後端から斜め下方に延びる握り部とで構成される請求項１又は２のスプレーガン。
【請求項４】
本体部に対して握り部を握り込んで第１流出口を開放したとき、握り部の当該位置を保持する止金を本体部に設けた請求項３のスプレーガン。
【請求項５】
本体部、開閉弁及び引金がステンレスで構成される請求項１〜４いずれかのスプレーガン。
【発明の詳細な説明】
【技術分野】
【０００１】
本発明は、液体や気体といった流体を噴出（流出）するスプレーガンに関するものであり、食品機械や薬品機械といった常に洗浄を必要とする装置、機械、器具を洗浄する洗浄液の噴出用に用いて好適なスプレーガンに関するものである。
【背景技術】
【０００２】
この種の装置、機械、器具（以下、装置類）は細菌の繁殖を極端に嫌うことから、特に、使用後は念入りに洗浄する。この洗浄は洗浄液を被洗浄物に噴出して行うが、そのためには、噴出を制御するスプレーガンを必要とする。スプレーガンによる噴出の制御は、噴射口を開閉する開閉弁を押引するものであり、これを引金の操作で行うようにしている。この引金は、特許文献１に見られるように、ピンを中心に回動可能なレバー体（引金）を一方向（多くは戻す方向）に弾性付勢して設けたものであり、引金を手で引いて噴出口を開放している。
【０００３】
これに伴い、この種の装置類を洗浄する洗浄液のスプレーガンも、使用後はスプレーガン自体を洗浄する必要がある。この洗浄を完全に行うためには、スプレーガンを分解する必要があるが、特に、引金についてはその分解が厄介である。引金を枢着するピンはスプレーガンの本体部にナット締め、ボルト締め或いはストップリングで止められているが、取り外すためには専用の工具を必要とする上に部品が細かいこともあって取外しに難渋する。加えて、取り外した部品が落下して紛失したり、装置や製造物に紛れ込むようなことがある。
【０００４】
このため、引金については分解しないで洗浄することがある。そうすると、引金と本体部との隙間に汚れが溜まり、細菌が繁殖することがある。引金までを分解して洗浄するためには、引金の取外しが容易であることはもちろんのこと、紛失や紛れ込みの虞がある細かな部品に分離しないことである。先の特許文献１にも、分解が容易なスプレーガンが提案されているが、この先行例のものは、スプレーガンの噴出口部分を迅速に分解できるものであって、引金の分解については触れられておらず、従来どおりと推察される。
【先行技術文献】
【特許文献】
【０００５】
【特許文献１】特開２００１−３４７１９９号公報
【発明の概要】
【発明が解決しようとする課題】
【０００６】
本発明が解決しようとする課題は、引金の分解を工具等を使用しない（工具レス）でワンタッチで取り外せること、分解した部材にピンやビスといった細かい部品が含まれないようにすることである。
【課題を解決するための手段】
【０００７】
以上の課題の下、本発明は、請求項１に記載した、本体部の内部に設けられる第１流出口を上方方向である閉塞側に弾性付勢される弁頭で閉塞する開閉弁と、係合構造によって本体部に係合され、下方回動させることで弁頭の上部を構成する弁尾を下方に押動させて第１流出口を開放して流体を流出させる引金とを有するスプレーガンにおいて、本体部にピンを一体的に設け、引金にピンを工具レスで着脱可能に収受する収受部を設けて係合構造としたことを特徴とするスプレーガンを提供したものである。
【０００８】
また、本発明は、以上の作業箱において、請求項２に記載した、収受部が引金の所定部位に開口している導入部を有しており、導入部から収受部までのピンの取込みが引金のワンタッチ操作で行われる手段、請求項３に記載した、引金が、弁尾で押圧される作用部と、作用部の後端から斜め下方に延びる握り部とで構成される手段、請求項４に記載した、本体部に対して握り部を握り込んで第１流出口を開放したとき、握り部の当該位置を保持する止め金を本体部に設けた手段、請求項５に記載した、本体部、開閉弁及び引金がステンレスで構成される手段を提供する。
【発明の効果】
【０００９】
請求項１の発明によると、スプレーガンは本体部と引金の二部品で着脱可能に構成されているから、引金を取り外すことで両者を細部まで洗浄できる。また、引金を係合するピンは本体部に一体的に設けられているから、落下や紛失の虞がない。さらに、本体部と引金の着脱は工具レスでできるから、簡便で即座にできる。
【００１０】
請求項２の構成によると、引金の着脱がワンタッチ操作でできるから、簡単で迅速である。請求項３の構成によると、引金の絞り操作が容易であり、これに伴って噴出量の細かな調整ができる。請求項４の構成によると、引金から手を離していても、噴出状態を保てる。請求項５の手段によると、錆の発生しない衛生的なものにできる。
【図面の簡単な説明】
【００１１】
【図１】スプレーガンの断面側面図である。
【図２】スプレーガンの断面側面図である。
【図３】第１噴射口の要部の断面側面図である。
【図４】スプレーガンの要部の断面側面図である。
【図５】図１のＡ−Ａ断面図である。
【図６】スプレーガンの要部の他の実施例の断面側面図である。
【図７】スプレーガンの要部の他の実施例の断面側面図である。
【発明を実施するための形態】
【００１２】
以下、本発明の実施の形態を図面を参照して説明する。図１及び図２はスプレーガンの断面側面図であるが、スプレーガンは、直立した本体部１と、第１本体部１の上部から斜め上方に分岐する第２本体部２とで逆くの字状に形成された本体部３、及び第１本体部１の中に上下にスライド可能に挿入されて上端が覗く開閉弁４と、開閉弁４の上方に設けられる引金５とからなる。そして、これら本体部３、開閉弁４及び引金は錆の発生しないステンレスで構成して衛生面を保っている。なお、図示は省略するが、第１本体部１の下部には洗浄液管をカプラ６で接続している。
【００１３】
第１本体部１の内部は空洞７に形成されており、第２本体部２の下方位置辺りの空洞７の上部には径細のテーパ部を経て空洞７の径よりも小さい径のストレートな狭窄部８が形成され、狭窄部８の上方から同じく空洞９が形成された第２本体部２が分岐している。この場合の狭窄部８は第１本体部１の内部に形成された第１流出口８を構成していることになる。開閉弁４は、第１流出口８の下方に位置する弁頭１０と、第１本体部１の上方に覗く弁尾１１とを有する弁棒であり、第１本体部１の空洞７内に設けられるスプリング１２で常時上方に弾性付勢されているものである。
【００１４】
弁頭１０は、下方から第１流出口８の径よりも大きな径を有する径大部１０ａ、第１流出口８の内周に沿うストレート部１０ｂ、ストレート部１０ｂから連続して上方が径細のテーパ部１０ｃとからなっており、径大部１０ａとストレート部１０ｂとの間に第１流出口８の径よりも大きな径を有するＯリング１３を保持しているものである。したがって、開閉弁４がスプリング１２で上方に（閉塞側に）弾発されているときには、Ｏリング１３が第１流出口８で閉塞している。
【００１５】
第２本体部２の上部にはブラケット１４が突設されており、このブラケット１４にピン１５を水平に突設してこのピン１５を回動中心として引金５が設けられている。引金５は、その裏面に開閉弁４の弁尾１１が押当している作用部１６と、作用部１６から斜め下方に延びる握り部１７とでへの字状に形成されたものである。なお、引金５のこの形態は開閉弁４の長さを調整することで設定されている。
【００１６】
そこで、第１本体部１に対して握り部１７を手で握り込むと（絞り込むと）、作用部１６は弁尾１１を押し下げ、弁頭１０を第１流出口８から離してここを開放する。すると、第１本体部１の空洞７内の洗浄液は第２本体部２の先端に設けられた第２噴出口１８から噴出される。このことから、第２噴出口１８から噴出される洗浄液は握り部１７（引金５）の絞り量に対応するものとなり、閉塞から全開まで無断階で調整できることになる。
【００１７】
この場合、握り部１７の握りストロークに比べて作用部１６が弁尾１１を押し下げるストロークは小さくなっているから、弁頭１０が第１噴射口８を開放して洗浄液を流通させる量を引金５の大きなストロークで細かく調整できることになり、調整能力が高い。なお、第２噴出口１８にはノズル１９とフィルター２０とが設けられている。また、握り部１７を最大に握って目一杯の噴射状態を保つために、握り部１７をその位置で保持する止金２１が第１本体部１に設けられている。この状態にしておけば、引金５から手を離しても噴出でき、別の作業もできる。
【００１８】
図３は引金５を最大に引いたときの第１流出口８と弁頭１０との関係を示す要部の断面側面図であるが、引金５を緩めたときには、弁頭９のストレート部１０ｂとテーパ部１０ｃとが第１噴射口８の中に入り込み、その下に設けられているＯリング１３が第１流出口８の入口を塞いでいる。そして、引金５を一杯に引いたときには、弁頭１０の上端が第１流出口８の入口の位置かその下方まで降下している。この場合の弁頭１０のテーパ部１０ｃは、引金５をある程度引いた場合でも、洗浄液の流量が十分に確保できるのに寄与している。
【００１９】
本発明は、ピン１５と引金５との係合構成に関するものであり、図４は第１実施例の要部の断面側面図であるが、引金５には、前端に開口し、後方に水平に延びてピン１５が通過できる高さを有する導入部２２と、導入部２２の後端から下方にピン１５全体がほぼ落ち込む（没入する）収受部２３が形成されている。したがって、引金５を本体部３に装着するには、開閉弁４を押えた状態で（作用部１６で弁尾１１を押し下げた状態で）導入部２２にピン１５を銜え込み、そのまま前方に押してピン１５が収受部２３に来た位置で押えを解くと、スプリング１２の作用でピン１５は収受部２３に入り込む。
【００２０】
この状態は、スプリング１２で引金５を上方に弾発した状態であるから、握り部１７を握り込んで開閉弁４を押し下げても引金５は外れることはない。図５は図１のＡ−Ａ断面図であるが、作用部１５の両側には壁２４を垂らせており、この両方の壁２４に導入部２２や収受部２３をそれぞれ形成している。したがって、ピン１５はブラケット１４から左右に突設して導入部２２や収受部２３に係合しており、壁２４はブラケット１４を挟んでいて安定が強化されている。
【００２１】
一方、引金５を本体部２から外すときも、作用部１６を押し下げてピン１５を収受部２３から導入部２２まで浮かせてそのまま後方に滑らすと、ピン１５は導入部２２から外れて分解できる。したがって、この取付け、取外しがワンタッチによる一連の動作ででき、操作が簡単、迅速であるとともに、工具も必要としない。この場合、引金５がへの字状をしていることは、これらの操作のときに力を入り易いという効果を有している。
【００２２】
加えて、分解した後は、本体部３と引金５だけになり、細かいピン１５等は単独では存在しない。この点で、ピン１５は本体部３と一体成形又は溶接等で一体に成形されるのが好ましいといえる。ピン１５は本体部３に対して抜けることのない緊嵌の状態にしてもよいが、嵌合孔の中に細菌等が入り込む虞があるから、これを避けるためである（この点で、一体とはこの孔を塞ぐ意味でもある）。なお、分解した後は本体部３と引金５をそれぞれ洗浄し、洗浄後は再度組み付けることになる。
【００２３】
図６は本体部３（ピン１５）と引金５との係合構成の第２実施例を示す要部の断面側面図であるが、本例のものは、導入部２２と収受部２３を側面視で凹陥形状にしたものであり、上方が導入部２２、下方の凹陥底が収受部２３ということになる。引金５の装着は、導入部２２の前端をピン１５の下側にあてがい、作用部１６を弁尾１１に当てて握り部１７を下側に回動させればよく、取外しはこの逆の操作をすればよい。
【００２４】
図７は第３実施例を示す同じく要部の断面側面図であるが、本例のものは、収受部２３が存在する部分の斜め下後方に開口する導入部２２と導入部２２から斜め上方前側に延びて下方に陥没する収受部２３を設けたものである。引金５をピン１５に装着するには、作用部１６で弁尾１１を押し下げて導入部２２にピン１５を銜え込み、そのまま後方に引いて握り部１７を上方に回動させると、ピン１５は収受部２３に入り込む。また、取外しはこれと逆の操作をすることになる。
【００２５】
これら三つの実施例に共通していることは、引金５のワンタッチ操作で着脱できることであり、これにおいて工具等を必要としない工具レスで操作できるということである。そして、このスプレーガンは食品機械等を洗浄する洗浄液に適用されることから、本体部４、開閉弁４及び引金５を始めとするすべての部材をステンレスで構成している。錆が発生せず、衛生的であるからであるが、見た目も清潔に見えるのも理由の一つである。
【産業上の利用可能性】
【００２６】
以上は、使用後、分解して洗浄する必要のある食品機械や薬品機械を洗浄する洗浄液のスプレーガンについてのものであるが、本発明は、これに限らない。具体的には塗装液を噴出するスプレーガンや農薬や殺虫剤を散布するスプレーガンにも適用できる。これらスプレーガンも、使用後にそのままにしておくと、固体分がこびり付いたり、次の噴射液と混ざったりする。
【００２７】
このため、洗浄することになるが、面倒なこともあって、普通は引金までは分解して洗浄しない。これらのスプレーガンでも、引金を分解して洗浄することは、その機能を保持すると同時にその周辺全体が洗浄できて好ましいのはいうまでもない。さらに、噴出するのは液体に限らず気体であってもよい。具体的には高圧空気を噴出して汚れを落としたりするスプレーガンであってもよい。
【符号の説明】
【００２８】
１    第１本体部
２    第２本体部
３    本体部
４    開閉弁
５    引金
６    カプラ
７    空洞
８    狭窄部（第１流出口）
９    空洞
１０  弁頭
１０ａ径大部
１０ｂストレート部
１０ｃテーパ部
１１  弁尾
１２  スプリング
１３  Ｏリング
１４  ブラケット
１５  ピン
１６  引金の作用部
１７  引金の握り部
１８  第２噴出口
１９  ノズル
２０  フィルター
２１  止金
２２  導入部
２３  収受部
２４  引金の壁
【図１】
2011036769.tif 000003
【図２】
2011036769.tif 000004
【図３】
2011036769.tif 000005
【図４】
2011036769.tif 000006
【図５】
2011036769.tif 000007
【図６】
2011036769.tif 000008
【図７】
2011036769.tif 000009